(57)【要約】  【目的】  ＣＤ−ＲＯＭ等の封印に手間のかからない構造の袋体を提供する。  【構成】  袋体10は，不織布11とプラスチックフィルム12とが重ね合わされて構成される。上記不織布11とプラスチックフイルム12との間にＣＤ−ＲＯＭ14が配置される。上記不織布11の周縁全体と上記プラスチックフイルム12の周縁全体は熱溶着されている。  【選択図】  図１
0003115532.tif 000002
【実用新案登録請求の範囲】
【請求項１】
不織布とプラスチックフィルムとから構成され，上記不織布とプラスチックフイルムとの間に記録媒体が封入された袋体において，
上記不織布の周縁全体と上記プラスチックフイルムの周縁全体が熱溶着されている，
袋体。
【請求項２】
上記プラスチックフイルムの裏面に，筋状のティアーテープが設けられている，請求項１に記載の袋体。
【請求項３】
上記ティアーテープの一端または両端に切込みが入れられている，請求項２に記載の袋体。
【請求項４】
上記不織布の裏面の四隅に接着剤が塗布されている，
請求項１から３のいずれか一項に記載の袋体。
【考案の詳細な説明】
【技術分野】
【０００１】
この考案は，袋体に関し，より詳細には，ＣＤ−ＲＯＭ，ＤＶＤ−ＲＯＭ等の記録媒体を封印するための袋体に関する。
【背景技術】
【０００２】
ＣＤ−ＲＯＭ，ＤＶＤ−ＲＯＭ等の光学的記録媒体は，製造コストが比較的安く，薄く，軽量で，かつ比較的強度が高いので，コンピュータ・プログラム等の記録に頻繁に用いられている。
【０００３】
コンピュータ・プログラム等が記録されたＣＤ−ＲＯＭ等は，プラスチック・ケースに入れられているものも存在するが，近年では，包袋コストを安くするため，または雑誌等への添付に利便性を持たせるために，プラスチック・ケースに代えて，プラスチックフイルムから構成される袋体にＣＤ−ＲＯＭ等を封入することが行われている。
【０００４】
図５(A)，(B)は，従来のＣＤ−ＲＯＭ等を封入するための袋体の一例を示している。
【０００５】
ＣＤ−ＲＯＭ等を封入するための袋体（以下，「袋体」と呼ぶ）20は，２枚のプラスチックフイルム21，22の三辺を熱溶着することによって作成され，他の一辺が開口している。袋体20の開口から袋体20内にＣＤ−ＲＯＭ24等が入れられる。
【０００６】
プラスチックフイルム21の開口に対応する部分には，ＣＤ−ＲＯＭ24等を袋体20に封印する（上記開口を塞ぐ）ためのフラップ21ａが，プラスチックフイルム21と一体的に設けられている。袋体20の開口からＣＤ−ＲＯＭ24等が入れられた後，フラップ21ａが折り返される。折り返されたフラップ21ａとプラスチックフイルム22とが糊付けされることにより，ＣＤ−ＲＯＭ24等が袋体20に封印される。また，プラスチックフイルム21にはティアーテープ25が設けられている。ティアーテープ25を引っ張ることにより袋体20（プラスチックフイルム21）が破かれ，破かれた部分から，袋体20に封印されたＣＤ−ＲＯＭ24等が取り出される。
【０００７】
図５(A)，(B)に示す従来の袋体20は，ＣＤ−ＲＯＭ24等の封印のために，フラップ21ａを設け，かつ，フラップ22ａの固定のためにプラスチックフイルム22（またはフラップ21ａ）に事前に糊を塗布しておく必要がある。また，袋体20にＣＤ−ＲＯＭ24等を入れる作業が必須である。一般的には，手作業でＣＤ−ＲＯＭ24等を袋体20に入れることが行われている。
【考案の開示】
【０００８】
この考案は，ＣＤ−ＲＯＭ等の封入に手間のかからない構造を持つ袋体の提供を目的とする。
【０００９】
この考案はまた，フラップを必要とせず，かつＣＤ−ＲＯＭ等を封印することができる構造を持つ袋体の提供を目的とする。
【００１０】
この考案による袋体は，不織布とプラスチックフィルムとから構成され，上記不織布とプラスチックフイルムとの間に記録媒体が封入された袋体において，上記不織布の周縁全体と上記プラスチックフイルムの周縁全体が熱溶着されていることを特徴とする。
【００１１】
不織布が用意され，この不織布上に記録媒体が配置される。その後，記録媒体の上からプラスチックフイルムが被せられる。記録媒体の外縁形状，または記録媒体の外縁を囲む他の形状（たとえば，矩形形状）に沿って，不織布の周縁全体とプラスチックフイルムの周縁全体が熱溶着される。不織布およびプラスチックフイルムの切断を熱溶着と同時に行ってもよい。
【００１２】
この考案によると，不織布の周縁全体とプラスチックフイルムの周縁全体とが熱溶着されているので，封印のためのフラップを用意することも，このフラップの固定のための糊等を塗布する必要もない。より安価な費用で記録媒体を袋体に封印することができる。
【００１３】
好ましくは，上記プラスチックフイルムの裏面に，筋状のティアーテープが設けられる。ティアーテープの材料としては，プラスチックフイルムよりも高い強度のものが用いられる。筋状のティアーテープを引っ張ることにより，ティアーテープに沿ってプラスチックフイルムが筋状に破られるので，ＣＤ−ＲＯＭ等の記録媒体の袋体からの取出しが容易になる。上記ティアーテープの一端または両端に，切込みを入れておくのが好ましい。
【００１４】
一実施態様では，上記袋体は，上記不織布の裏面（外部に露出している面）の四隅に接着剤が塗布されているものである。不織布の裏面の四隅に接着剤が塗布されているので，記録媒体が封印された袋体全体を，たとえば，台紙に固定することができる。雑誌等に記録媒体を添付する場合には，この台紙が雑誌等の一部された状態で製本される。接着剤が塗布されているのが不織布の裏面の四隅であるので，接着剤が，不織布の裏面（外面）から表面（内面）に染み出したとしても，袋体に封印されている記録媒体への影響（接着剤の光学機能面への付着等）をなくす，または少なくすることができる。不織布の裏面に，接着剤が含浸しない材質のフイルム等を別途貼り合わせる必要もない。
【実施例】
【００１５】
図１(A)はＣＤ−ＲＯＭ14が封印された袋体10の正面図を，図１（B)は図１（A)のB−B線に沿う端面図を示している。
【００１６】
袋体10は，ほぼ正方形の不織布11と，ほぼ正方形の透明のプラスチックフイルム12とから構成される。不織布11の周縁全体（四辺）とプラスチックフイルム12の周縁全体（四辺）とは熱溶着されている。図１(B)において，不織布11とプラスチックフイルム12の厚さが若干厚く描かれている。
【００１７】
プラスチックフイルム12の一辺に近い位置に，筋状のティアーテープ13が，プラスチックフイルム12の上記一辺に平行に（図１(A)において横方向に）設けられている（貼り付けられている）。このティアーテープ13の一端に切込み13ａがいれられている。ティアーテープ13はプラスチックフイルム12よりも高い強度を持つ。切込み13ａからティアーテープ13の端を摘み，横方向（ティアーテープ13が設けられている方向）に引っ張ることにより，ティアーテープ13に沿ってプラスチックフイルム12を筋状に破くことができる。切込み13ａはティアーテープ13の両端にいれるようにしてもよい。筋状のティアーテープ13は，プラスチックフイルム12の裏面（袋体10の内側の面）に設けられる。
【００１８】
不織布11とプラスチックフイルム12とに挟込まれるようにして，ＣＤ−ＲＯＭ14は袋体10内に封印されている。
【００１９】
図２(A)，(B)および図３(A)，(B)は，ＣＤ−ＲＯＭ14が封印された袋体10の製造の流れを示している。
【００２０】
不織布11が用意され，この不織布11の上に，封印すべきＣＤ−ＲＯＭ14が配置される（図２(A)，(B)）。ＣＤ−ＲＯＭ14が配置された不織布11の上から，ティアーテープ13が設けられたプラスチックフイルム12が被せられる（図３(A)）。
【００２１】
ＣＤ−ＲＯＭ14を取囲むように，プラスチックフイルム12および不織布11がほぼ正方形状に切断され，かつプラスチックフイルム12と不織布11とが正方形状に溶着（熱溶着）される。その後，ティアーテープ13の一端を打ち抜くことにより，ティアーテープ13の一端に切込み13ａがいれられる。ＣＤ−ＲＯＭ14が封印された複数の袋体10が完成する（図３(B)）。
【００２２】
図４は，ＣＤ−ＲＯＭ14が封印された他の態様の袋体10Ａの裏面図を示している。図１に示す袋体10とは，袋体10Ａを構成する不織布11の裏面の四隅に，糊15が塗布されている点が異なる。
【００２３】
図４に示す袋体10Ａは，不織布11の裏面の四隅に糊15が塗布されているので，台紙等に袋体10Ａを貼付することができる。袋体10Ａが貼付された台紙は，雑誌等に挟まれて製本される（雑誌等の一部とされる）。
【００２４】
不織布11は正方形であり，ＣＤ−ＲＯＭ14は円形である。このため，不織布11の四隅にはＣＤ−ＲＯＭ14は位置しない。ＣＤ−ＲＯＭ14が位置しない不織布11の裏面の四隅に糊15は塗布されているので，たとえ糊15が不織布11を通して染みてしまっても，染みだした糊15がＣＤ−ＲＯＭ14に付着する可能性は低い。
【図面の簡単な説明】
【００２５】
【図１】(A)はＣＤ−ＲＯＭが封印された袋体の正面図，（B)は図１（A)のＢ−Ｂ線に沿う端面図である。
【図２】(A)，（B)は，ＣＤ−ＲＯＭが封印された袋体の製造の流れを示す。
【図３】(A)，(B)は，ＣＤ−ＲＯＭが封印された袋体の製造の流れを示す。
【図４】ＣＤ−ＲＯＭが封印された他の実施例における袋体の裏面図である。
【図５】(A)，（B)は従来のＣＤ−ＲＯＭ等を封入するための袋体の一例を示す。
【符号の説明】
【００２６】
10，10Ａ  袋体
11  不織布
12  プラスチックフイルム
13  ティアーテープ
13ａ  切込み
14  ＣＤ−ＲＯＭ
15  糊
【図１】
0003115532.tif 000003
【図２】
0003115532.tif 000004
【図３】
0003115532.tif 000005
【図４】
0003115532.tif 000006
【図５】
0003115532.tif 000007